(57)【要約】【課題】縦方向又は横方向の少なくとも一方に連続して並べられる複数の矩形状パネル全体の表面に画像をインクジェット印刷により形成するとき、パネルに描かれた全体画像１１が各パネルの露出した木口の部分で途切れずに見えるようにし意匠性を向上させる。【解決手段】矩形状パネルは、内部に複数の収納空間が区画された収納装置本体１に支持されかつ各収納空間の開口を開閉する扉１０ａ〜１０ｐとする。互いに隣接する複数の扉１０ａ〜１０ｐの表面に全体画像１１を扉１０ａ〜１０ｐ間に亘って連続するようにインクジェット印刷し、各扉１０ａ〜１０ｐの表面に、全体画像１１を分割した部分画像１２を印刷する。隣接する一方の扉１０ａ〜１０ｐの木口面に、他方の扉１０ａ〜１０ｐ表面の部分画像１２において一方の扉１０ａ〜１０ｐ側の一部画像１２ａと同一で一方の扉１０ａ〜１０ｐ表面の部分画像１２に連続する木口画像１３をインクジェット印刷する。【選択図】図３
2015066209.tif 000002
【特許請求の範囲】
【請求項１】
縦方向又は横方向の少なくとも一方に連続して並べられて設置される複数の矩形状パネルからなるパネル集合体であって、
少なくとも一部の互いに隣接する複数のパネルの表面に全体画像が該隣接パネル間に亘って連続するようにインクジェットにより印刷されていて、該隣接パネルの各々の表面には、上記全体画像を分割した部分画像が印刷されており、
上記隣接する一方のパネルの木口面のうち、他方のパネル側の木口面に、該他方のパネル表面の部分画像における上記一方のパネル側の一部の画像と同一で該一方のパネル表面の部分画像に連続する木口画像がインクジェットにより印刷されていることを特徴とするパネル集合体。
【請求項２】
請求項１において、
端部に位置する端部パネルの木口面のうち、パネルが隣接していない側の木口面に、該端部パネル表面の部分画像に連続する木口画像がインクジェットにより印刷されていることを特徴とするパネル集合体。
【請求項３】
請求項１又は２において、
パネルは、収納装置の扉又は収納装置の引出しの前板であることを特徴とするパネル集合体。
【請求項４】
請求項１又は２において、
パネルは、壁材又はドアであることを特徴とするパネル集合体。
【請求項５】
内部に複数の収納空間が区画された収納装置本体と、
上記収納装置本体に縦方向又は横方向の少なくとも一方に連続して並べられて支持され、収納空間の開口を開閉する複数の矩形状扉とを備えた収納装置であって、
少なくとも一部の互いに隣接する複数の扉の表面に全体画像が該隣接扉間に亘って連続するようにインクジェットにより印刷されていて、該隣接扉の各々の表面には、上記全体画像を分割した部分画像が印刷されており、
上記隣接する一方の扉の木口面のうち、他方の扉側の木口面に、該他方の扉表面の部分画像における上記一方の扉側の一部の画像と同一で該一方の扉表面の部分画像に連続する木口画像がインクジェットにより印刷され、
端部に位置する端部扉の木口面のうち、扉が隣接していない側の木口面に、該端部扉表面の部分画像に連続する木口画像がインクジェットにより印刷されていることを特徴とする収納装置。
【請求項６】
縦方向又は横方向の少なくとも一方に連続して並べられて設置される複数の矩形状パネルからなるパネル集合体の製造方法であって、
上記パネル集合体の少なくとも一部の互いに隣接する複数のパネルの表面に全体画像を該隣接パネル間に亘って連続するようにインクジェットにより印刷して、該隣接パネルの各々の表面に、上記全体画像が分割された部分画像を印刷するとともに、
上記隣接する一方のパネルの木口面のうち、他方のパネル側の木口面に、該他方のパネル表面の部分画像における上記一方のパネル側の一部の画像と同一で該一方のパネル表面の部分画像に連続する木口画像をインクジェットにより印刷することを特徴とするパネル集合体の製造方法。
【発明の詳細な説明】
【技術分野】
【０００１】
本発明は、複数の矩形状パネルが連続して並べられて設置されるパネル集合体、その製造方法及び収納装置に関し、特にそれら複数のパネルの表面に亘り連続した画像が描かれたものに関する。
【背景技術】
【０００２】
従来、例えば特許文献１に示されるように、床面全体に文字や絵の意匠を形成するために、その意匠を床材毎に分割して、各床材の表面に文字及び絵の一部をインクジェットにより印刷し、それらの床材を施工したときに複数の床材の全体によって床面に意匠が描かれるようにした床構成材は知られている。
【先行技術文献】
【特許文献】
【０００３】
【特許文献１】特開２０１２−０７７４４５号公報（特に段落００２８、図８（ｃ）、図１０）
【発明の概要】
【発明が解決しようとする課題】
【０００４】
ところで、収納装置において複数の収納空間の開口をそれぞれ開閉する扉や複数の引出しの前板、室内に施工される複数の壁材やドア等は矩形状の板材であり、これらは縦方向や横方向に連続して並べられて設置される。
【０００５】
そこで、上記特許文献１のように、上記収納装置の扉や引出しの前板、壁材やドア等をパネルとし、それら複数のパネルの表面に、色や柄からなる画像を該パネル間に亘って連続するようにインクジェットにより印刷すれば、複数のパネルに亘って大きな画像が形成されて、意匠性を高めることができる。その場合、各パネルの表面には、全体画像が分割された部分画像が印刷される。
【０００６】
しかし、パネルとしての上記扉や引出しの前板、ドアは、その開閉操作に伴って移動して位置が変化するので、その扉やドア等が開いて木口面が露出したとき、複数の扉やドア等の表面に亘り全体画像を印刷しているにも拘わらず、その全体画像が木口の部分で途切れるように見えてしまい、意匠性の点で不十分となる。
【０００７】
また、使用の際に移動しない壁材であっても、隣接する壁材間に隙間があると、その隙間から木口面が露出して見えるようになり、やはり上記と同様の問題が生じる。
【０００８】
本発明は斯かる諸点に鑑みてなされたもので、その目的は、複数のパネルの表面に亘って連続した画像をインクジェット印刷により形成するときに、その各パネルに対する印刷に工夫を加えることにより、木口面が露出していても複数のパネルに描かれた全体画像が木口の部分で途切れずに見えるようにし、意匠性を向上させることにある。
【課題を解決するための手段】
【０００９】
上記の目的を達成するために、この発明では、各パネルの木口面にもパネル表面の画像に連続する画像をインクジェット印刷するようにした。
【００１０】
具体的には、第１の発明は、縦方向又は横方向の少なくとも一方に連続して並べられて設置される複数の矩形状パネルからなるパネル集合体が対象である。
【００１１】
そして、少なくとも一部の互いに隣接する複数のパネルの表面に全体画像が該隣接パネル間に亘って連続するようにインクジェットにより印刷されていて、該隣接パネルの各々の表面には、上記全体画像を分割した部分画像が印刷されている。また、上記隣接する一方のパネルの木口面のうち、他方のパネル側の木口面に、該他方のパネル表面の部分画像における上記一方のパネル側の一部の画像と同一で該一方のパネル表面の部分画像に連続する木口画像がインクジェットにより印刷されていることを特徴とする。
【００１２】
この第１の発明では、パネル集合体のうちの少なくとも一部の互いに隣接する複数のパネルの表面に全体画像が隣接パネル間に亘って連続するようにインクジェットにより印刷されているので、それら隣接パネルの全体に大きな画像が形成され、パネル集合体の意匠性を高めることができる。
【００１３】
そして、互いに隣接する一方のパネルにおいて、他方のパネル側の木口面にも木口画像がインクジェットにより印刷され、この木口画像は、隣接する他方のパネル表面の部分画像において一方のパネル側の一部画像と同一で該一方のパネル表面の部分画像に連続するものであるので、使用に伴いパネルが移動して木口面が露出したとき、或いはパネル間の隙間からパネルの木口面が見えたとき、その木口面の木口画像がパネル表面の部分画像に連続して見えるようになる。このことにより、パネルの正面だけでなく木口面からも表面の部分画像が木口画像及び隣接パネル表面の部分画像と繋がっているように見え、よってパネル集合体の意匠性を高めることができる。
【００１４】
第２の発明は、第１の発明において、端部に位置する端部パネルの木口面のうち、パネルが隣接していない側の木口面に、該端部パネル表面の部分画像に連続する木口画像がインクジェットにより印刷されていることを特徴とする。
【００１５】
この第２の発明では、端部パネルにおいてパネルが隣接していない側の木口面に、端部パネル表面の部分画像に連続する木口画像がインクジェットにより印刷されているので、その端部パネルの木口面の木口画像が表面の部分画像と連続して見えるようになる。このことにより、端部パネルの正面だけでなく木口面からも表面の部分画像が木口画像と途切れず繋がっているように見え、パネル集合体の意匠性をさらに高めることができる。
【００１６】
第３の発明は、第１又は第２の発明において、パネルは、収納装置の扉又は収納装置の引出しの前板であることを特徴とする。
【００１７】
第４の発明は、第１又は第２の発明において、パネルは、壁材又はドアであることを特徴とする。
【００１８】
これら第３又は第４の発明では、収納装置の扉、収納装置の引出しの前板、壁材又はドアの表面に全体画像がインクジェットにより印刷されているので、意匠性を高めることができる。また、収納装置の扉、引出しの前板、壁材又はドアの木口面にも表面の部分画像と連続する木口画像がインクジェットにより印刷されているので、木口面が露出したり、或いは隙間から木口面が見えたりしたとき、その木口面の木口画像が表面の部分画像に連続して見えるようになり、意匠性を高めることができる。
【００１９】
第５の発明は、内部に複数の収納空間が区画された収納装置本体と、この収納装置本体に縦方向又は横方向の少なくとも一方に連続して並べられて支持され、収納空間の開口を開閉する複数の矩形状扉とを備えた収納装置が対象である。
【００２０】
そして、少なくとも一部の互いに隣接する複数の扉の表面に全体画像が該隣接扉間に亘って連続するようにインクジェットにより印刷されていて、該隣接扉の各々の表面には、上記全体画像を分割した部分画像が印刷されている。また、上記隣接する一方の扉の木口面のうち、他方の扉側の木口面に、該他方の扉表面の部分画像における上記一方の扉側の一部の画像と同一で該一方の扉表面の部分画像に連続する木口画像がインクジェットにより印刷され、端部に位置する端部扉の木口面のうち、扉が隣接していない側の木口面に、該端部扉表面の部分画像に連続する木口画像がインクジェットにより印刷されていることを特徴とする。
【００２１】
この第５の発明では、収納装置の複数の扉のうち少なくとも一部の互いに隣接する複数の扉の表面に全体画像が隣接扉間に亘って連続するようにインクジェットにより印刷されているので、それら扉の全体に亘る大きな画像により収納装置の意匠性を高めることができる。
【００２２】
そして、互いに隣接する一方の扉において、全体画像が連続する側に位置する他方の扉側の木口面にも木口画像がインクジェットにより印刷され、この木口画像は、他方の扉表面の部分画像における一方の扉側の一部画像と同一で一方の扉表面の部分画像に連続するものであるので、扉を開いて木口面が露出したとき等でも、その木口面の木口画像が、扉表面の部分画像に連続して見えるようになり、扉の正面だけでなく木口面からも表面の部分画像が木口画像や隣接扉表面の部分画像と繋がっているように見え、よって意匠性を高めることができる。
【００２３】
また、端部扉において扉が隣接していない側の木口面に、端部扉表面の部分画像に連続する木口画像がインクジェットにより印刷されているので、その端部扉の木口面の木口画像が表面の部分画像と連続して見えるようになり、端部扉の正面だけでなく木口面からも表面の部分画像が木口画像と途切れず繋がっているように見え、収納装置の意匠性をさらに高めることができる。
【００２４】
第６の発明は、縦方向又は横方向の少なくとも一方に連続して並べられて設置される複数の矩形状パネルからなるパネル集合体の製造方法が前提である。
【００２５】
そして、パネル集合体の少なくとも一部の互いに隣接する複数のパネルの表面に全体画像を該隣接パネル間に亘って連続するようにインクジェットにより印刷して、該隣接パネルの各々の表面に、上記全体画像が分割された部分画像を印刷する。それとともに、上記隣接する一方のパネルの周囲の木口面のうち、他方のパネル側の木口面に、該他方のパネル表面の部分画像における上記一方のパネル側の一部の画像と同一で該一方のパネル表面の部分画像に連続する木口画像をインクジェットにより印刷することを特徴とする。
【００２６】
この第６の発明では、パネル集合体の少なくとも一部の互いに隣接する複数のパネルの表面に全体画像が隣接パネル間に亘って連続するようにインクジェットにより印刷される。このことで、それらパネルの全体に大きな画像が形成される。
【００２７】
また、互いに隣接する一方のパネルにおいて、他方のパネル側の木口面にも、その他方のパネル表面の部分画像における一方のパネル側の一部画像と同一で一方のパネル表面の部分画像に連続する木口画像がインクジェットにより印刷される。この木口画像により、使用に伴いパネルが移動して木口面が露出したとき、或いはパネル間の隙間からパネルの木口面が見えたとき、その木口面の木口画像が、パネル表面の部分画像に連続して見えるようになり、パネルの正面だけでなく木口面からも表面の部分画像が木口画像と隣接パネル表面の部分画像と繋がっているように見える。これらにより意匠性の高いパネル集合体が得られる。
【発明の効果】
【００２８】
以上説明したように、本発明によると、連続して並べられる複数のパネルからなるパネル集合体において、互いに隣接する複数のパネルの表面に連続した全体画像をインクジェットにより印刷するとともに、隣接する一方のパネルの木口面にも、表面の部分画像に連続しかつ他方のパネルの部分画像の一部画像と同一の木口画像をインクジェット印刷するようにしたことにより、複数のパネルに亘って大きな画像を形成できるだけでなく、木口面が露出したときやパネル間の隙間からパネルの木口面が見えたときの木口画像がパネル表面の部分画像に連続して見え、パネルの正面だけでなく木口面からも表面の部分画像が木口画像と表面の部分画像と繋がっているように見え、パネル集合体の意匠性を高めることができる。
【図面の簡単な説明】
【００２９】
【図１】図１は、本発明の実施形態に係る収納装置を示す斜視図である。
【図２】図２は、収納装置の扉のみを正面から見て拡大して示す図である。
【図３】図３は、ある１つの扉の表面に印刷された部分画像に加え、同じ扉の各木口面に部分画像と連続するように印刷された木口画像を展開した状態で示す図である。
【図４】図４は、扉が開いて木口面の木口画像が見えた状態を示す斜視図である。
【発明を実施するための形態】
【００３０】
以下、本発明の実施形態を図面に基づいて詳細に説明する。以下の実施形態の説明は、本質的に例示に過ぎず、本発明、その適用物或いはその用途を制限することを意図するものでは全くない。
【００３１】
図１は本発明の実施形態に係る収納装置Ａを示し、この収納装置Ａは矩形箱状の収納装置本体１を備えている。この収納装置本体１は、例えば左右の側板２，２（一方のみ示す）と、これら両側板２，２の上端部間に接続された天板３と、両側板２，２の下端部間に接続された底板（図示せず）と、側板２，２、天板３及び底板の後端部に固定された裏板（図示せず）とを有し、これら側板２，２、天板３、底板及び裏板によって前側に開いた箱形状に形成されている。
【００３２】
そして、図示しないが、収納装置本体１の内部には、天板３及び底板の間に亘って立設された複数枚（例えば３枚）の縦板と、これらの縦板間並びに縦板及び側板２，２の間に掛け渡されて支持された複数枚（例えば３枚）の横板とが設けられており、これらの縦板及び横板により収納装置本体１内に直方体状の複数（例えば１６）の収納空間が区画され、各収納空間は後側が裏板で閉塞されかつ前側が矩形状の開口によって開放されている。
【００３３】
収納装置本体１の前端部であって各収納空間の開口周縁部には、その例えば左側部（右側部でもよい）に、矩形状パネルとしての複数（例えば１６枚）の扉１０ａ〜１０ｐが例えば上下２つのヒンジ（図示せず）により上下方向の軸線回りに揺動可能に支持されており、この扉１０ａ〜１０ｐを揺動させることで収納空間の開口を個別に独立して開閉するようになっている。
【００３４】
本実施形態では、上記複数の扉１０ａ〜１０ｐにより縦方向及び横方向に連続して並べられて設置されるパネル集合体としての扉集合体８が構成されている。
【００３５】
図２に示すように、上記収納装置Ａにおいて、互いに隣接する複数の扉１０ａ〜１０ｐの略全体の表面には、色のみ（同色では濃淡）もしくは柄のみ又は色及び柄の両方からなる所定の全体画像１１（図示例ではデフォルメされた２本の樹木）が描かれ、この全体画像１１は、隣接扉１０ａ〜１０ｐ間に亘って連続するようにインクジェットにより印刷されている。換言すると、隣接する複数の扉１０ａ〜１０ｐの各々の表面には、全体画像１１を分割した部分画像１２（分割画像）が印刷され、この部分画像１２は、その部分画像１２が描かれた扉１０ａ〜１０ｐに隣接する扉１０ａ〜１０ｐ表面の部分画像１２と連続していて、全体画像１１の一部を構成している。例えば図３（ａ）は、図２に示す扉１０ａ〜１０ｐのうち上から２段目で左右中央部左側に位置する扉１０ｆの部分画像１２を、また図３（ｂ）は、同左右中央部右側に位置する扉１０ｇの部分画像１２をそれぞれ後述する木口画像１３，１３，…と共に示しており、両扉１０ｆ，１０ｇは左右方向に互いに隣接し、各々の部分画像１２，１２は互いに連続している。
【００３６】
そして、同じ図３（ａ）及び（ｂ）に示すように、上記互いに隣接する一方の扉１０ａ〜１０ｐの四周の木口面（側面）のうち、上記全体画像１１が連続する側に位置する他方の扉１０ａ〜１０ｐ側の木口面には木口画像１３がインクジェットにより印刷されている。この木口画像１３は、同じ扉１０ａ〜１０ｐの表面の部分画像１２に連続する画像であり、従ってその扉１０ａ〜１０ｐに隣接する他方の扉１０ａ〜１０ｐの表面の部分画像１２において一方の扉１０ａ〜１０ｐ側に位置する一部で木口の厚さ分だけの画像１２ａと同一となっている。すなわち、図３（ａ）及び（ｂ）に示すように、扉１０ａ〜１０ｐの木口面を表面と同じ平面となるように展開したときに、木口面の木口画像１３は扉１０ａ〜１０ｐ表面の部分画像１２に連続し、かつ隣接する他方の扉１０ａ〜１０ｐ表面の部分画像１２における一部画像１２ａ（図では斜線を入れて表している）と表側から見て一致している。
【００３７】
例えば上記図３（ａ）に示す扉１０ｆ（上から２段目で左右中央部左側に位置するもの）では、その右側の木口面の木口画像１３は、扉１０ｆの右側に隣接する図３（ｂ）の扉１０ｇ（上から２段目で左右中央部右側に位置するもの）の表面の部分画像１２において、扉１０ｆ側たる左端部に位置する一部の画像１２ａと同一である。また、同扉１０ｆの下側の木口面の木口画像１３は、同じ扉１０ｆの下側に隣接する扉１０ｊ（下から２段目で左右中央部左側に位置するもの）の表面の部分画像１２において、扉１０ｆ側たる上端に位置する一部の画像１２ａと同一である。
【００３８】
一方、例えば上記図３（ｂ）に示す扉１０ｇ（上から２段目で左右中央部右側に位置するもの）では、その左側の木口面の木口画像１３は、扉１０ｇの左側に隣接する図３（ａ）の扉１０ｆの表面の部分画像１２において、扉１０ｇ側たる右端部に位置する一部の画像１２ａと同一である。また、同扉１０ｇの下側の木口面の木口画像１３は、同じ扉１０ｇの下側に隣接する扉１０ｋ（下から２段目で左右中央部右側に位置するもの）の表面の部分画像１２において、扉１０ｇ側たる上端部に位置する一部の画像１２ａと同一である。
【００３９】
尚、図２では、上記扉１０ｆ（又は１０ｇ）に隣接する４枚の扉１０ｂ，１０ｅ，１０ｇ，１０ｊ（又は１０ｃ，１０ｆ，１０ｈ，１０ｋ）の表面の部分画像１２において、扉１０ｆ（又は１０ｇ）の周囲の木口面に形成される木口画像１３と同一となる画像１２ａの範囲を仮想線で示している。また、図１では、隣接する扉１０ａ〜１０ｐ間の隙間から木口画像１３が部分的に見えている状態を示している。
【００４０】
さらに、収納装置Ａの周囲端部に位置する端部扉１０ａ〜１０ｄ，１０ｅ，１０ｈ，１０ｉ，１０ｌ，１０ｍ〜１０ｐの各々の木口面のうち、扉が隣接していない側の木口面にも、その端部扉１０ａ〜１０ｄ，１０ｅ，１０ｈ，１０ｉ，１０ｌ，１０ｍ〜１０ｐ表面の部分画像１２に連続する木口画像１３がインクジェットにより印刷されている（図１の扉１０ｉを参照）。
【００４１】
このようにして、各扉１０ａ〜１０ｐ表面の木口面に表面の部分画像１２に連続する木口画像１３がインクジェット印刷されている。
【００４２】
次に、このような複数の扉１０ａ〜１０ｐからなる扉集合体８（パネル集合体）を、その表面及び木口面にそれぞれ画像１２，１３をインクジェット印刷することで製造する方法について説明する。
【００４３】
複数の扉１０ａ〜１０ｐに亘り印刷する全体画像１１を含む画像を写真やその他の色柄、模様等から採取して、それを画像データとして記録しておく。
【００４４】
この画像データのうちの全体画像１１のデータを複数の扉１０ａ〜１０ｐ毎に分割して部分画像データとし、各扉１０ａ〜１０ｐとなる板材の表面に対し、対応する部分画像データに基づいてインクジェット印刷装置により部分画像１２を印刷する。すなわち、互いに隣接する複数の扉１０ａ〜１０ｐの表面に全体画像１１を隣接扉１０ａ〜１０ｐ間に亘って連続するようにインクジェットにより印刷して、隣接扉１０ａ〜１０ｐの各々の表面に、全体画像１１が分割された部分画像１２を印刷する。
【００４５】
同時に、隣接する一方の扉１０ａ〜１０ｐの木口面に対して木口画像１３をインクジェット印刷装置により印刷する。この木口画像１３の画像データは、上記各部分画像データのうち、隣接する他方の扉１０ａ〜１０ｐ表面の周縁に印刷される部分の画像データを木口面の厚さに相当する範囲で取り出したものであり、その画像データを基に扉１０ａ〜１０ｐの木口面に、隣接する他方の扉１０ａ〜１０ｐ表面の部分画像１２と連続するように木口画像１３を印刷する。このことで、隣接する一方の扉１０ａ〜１０ｐの木口面に、隣接する他方の扉１０ａ〜１０ｐ表面の部分画像１２における一方の扉１０ａ〜１０ｐ側の一部画像１２ａと同一で一方の扉１０ａ〜１０ｐ表面の部分画像１２に連続する木口画像１３をインクジェット印刷することとなる。
【００４６】
端部扉１０ａ〜１０ｄ，１０ｅ，１０ｈ，１０ｉ，１０ｌ，１０ｍ〜１０ｐでは、扉が隣接していない側の木口面に、その端部扉１０ａ〜１０ｄ，１０ｅ，１０ｈ，１０ｉ，１０ｌ，１０ｍ〜１０ｐ表面の部分画像１２に連続する木口画像１３をインクジェットにより印刷する。このとき、上記全体画像１１の周囲の画像のデータを用いて印刷すればよい。
【００４７】
尚、このように板材に画像をインクジェット印刷装置により印刷するために、特許文献１に示される方法や技術を用いることができる。
【００４８】
以上のような印刷工程を経て上記複数の扉１０ａ〜１０ｐからなる扉集合体８が製造される。そして、これらの扉１０ａ〜１０ｐを前側から見て全体画像１１が形成されるように位置合わせしながら収納装置本体１に取り付ければよい。
【００４９】
したがって、この実施形態においては、収納装置Ａはその各収納空間の開口を開閉する複数の扉１０ａ〜１０ｐを有し、それら複数の扉１０ａ〜１０ｐの表面に全体画像１１が複数の扉１０ａ〜１０ｐ間に亘って連続するようにインクジェットにより印刷されているので、それら扉１０ａ〜１０ｐに大きな画像が形成されることとなり、扉集合体８及び収納装置Ａの意匠性を高めることができる。
【００５０】
しかも、上記全体画像１１が表面に描かれている互いに隣接する一方の扉１０ａ〜１０ｐにおいて、その全体画像１１が連続する側に位置する他方の扉１０ａ〜１０ｐ側の木口面にも木口画像１３がインクジェットにより印刷され、この木口画像１３は、他方の扉１０ａ〜１０ｐ表面の部分画像１２において一方の扉１０ａ〜１０ｐ側の一部画像１２ａと同一の画像で該一方の扉１０ａ〜１０ｐ表面の部分画像１２に連続しているので、例えば図４に示すように、扉１０ｆが少し開かれて左右方向の一方（扉１０ｆが左右方向の軸線回りに揺動するときには上下方向の一方）から見て木口面が露出したとき、その木口面の木口画像１３が、扉１０ｆ表面の部分画像１２に連続して見えるようになる。また、扉１０ａ〜１０ｐが開いていなくても扉１０ａ〜１０ｐ間の隙間から扉１０ａ〜１０ｐの木口面が見えることがあり、そのときにも同様に、木口面の木口画像１３が扉１０ａ〜１０ｐ表面の部分画像１２に連続して見えるようになる（図１参照）。その結果、扉１０ａ〜１０ｐの正面だけでなく木口面からも、表面の部分画像１２が木口画像１３及び隣接する他方の扉１０ａ〜１０ｐ表面の部分画像１２とに対し繋がっているように見え、このことによって扉集合体８及び収納装置Ａの意匠性を高めることができる。
【００５１】
また、端部扉１０ａ〜１０ｄ，１０ｅ，１０ｈ，１０ｉ，１０ｌ，１０ｍ〜１０ｐにおいて扉が隣接していない側の木口面に、端部扉１０ａ〜１０ｄ，１０ｅ，１０ｈ，１０ｉ，１０ｌ，１０ｍ〜１０ｐ表面の部分画像１２に連続する木口画像１３がインクジェットにより印刷されているので、その端部扉１０ａ〜１０ｄ，１０ｅ，１０ｈ，１０ｉ，１０ｌ，１０ｍ〜１０ｐの木口面の木口画像１３が表面の部分画像１２と連続して見えるようになり、端部扉１０ａ〜１０ｄ，１０ｅ，１０ｈ，１０ｉ，１０ｌ，１０ｍ〜１０ｐの正面だけでなく木口面からも表面の部分画像１２が木口画像１３と繋がっているように見え、収納装置Ａの意匠性をさらに高めることができる。
【００５２】
また、上記のようにして扉１０ａ〜１０ｐからなる扉集合体８を製造し、それら扉１０ａ〜１０ｐを位置合わせしながら収納装置本体１に取り付けることで、複数の扉１０ａ〜１０ｐの各々の表面の部分画像１２，１２，…が集まって扉１０ａ〜１０ｐ全体に大きな全体画像１１が形成され、かつ各扉１０ａ〜１０ｐの正面だけでなく木口面からも表面の部分画像１２が木口画像１３と隣接扉１０ａ〜１０ｐ表面の部分画像１２と繋がっているように見える、意匠性の高い扉１０ａ〜１０ｐの集合体８及び収納装置Ａが容易に得られる。
【００５３】
（その他の実施形態）
上記実施形態では、複数の扉１０ａ〜１０ｐが縦方向及び横方向に連続して並べられて設置され、各扉１０ａ〜１０ｐの木口面に木口画像１３，１３，…が印刷されているが、複数の扉は縦方向又は横方向のいずれかのみに連続して並べられて設置されていてもよい。その場合、全体画像１１は、それら並べられた扉に亘って連続するように印刷され、その隣接する扉側の２つの木口面のみに木口画像１３，１３が印刷される。
【００５４】
また、上記実施形態では、収納装置Ａの略全ての扉１０ａ〜１０ｐの表面に全体画像１１を印刷しているが、全ての１０ａ〜１０ｐの表面、或いは逆に一部の扉のみの表面に全体画像１１をインクジェット印刷するようにしてもよい。
【００５５】
さらに、上記実施形態は、本発明を収納装置Ａの扉１０ａ〜１０ｐに適用したものであるが、本発明は、収納装置本体１に複数の引出しが出し入れ可能に収容された収納装置Ａにおいて、その複数の引出しの前板をパネルとし、その表面に上記実施形態と同様に全体画像をインクジェット印刷し、前板の周囲の木口面に表面の部分画像と連続する木口画像をインクジェット印刷するようにしてもよい。
【００５６】
また、本発明では、建物の室内等の壁に施工される複数枚の壁材や、例えば左右方向に並べられて取り付けられる複数のドアをパネルとし、それらの表面に上記実施形態と同様に全体画像をインクジェット印刷し、壁材やドアの周囲の木口面に表面の部分画像と連続する木口画像をインクジェット印刷することもできる。壁材の場合、上記収納装置Ａの扉１０ａ〜１０ｐ、引出しの前板、ドア等のように開閉動作に伴って木口面が大きく露出しないが、壁材間の隙間から木口面が見えるので、その木口面に表面の部分画像に連続する木口画像をインクジェット印刷することにより、上記と同様の作用効果が得られる。
【産業上の利用可能性】
【００５７】
本発明は、パネルの正面だけでなく木口面からも表面の部分画像が木口画像と表面の部分画像と繋がっているように見えて意匠性を高めることができるので、極めて有用で産業上の利用可能性が高い。
【符号の説明】
【００５８】
Ａ  収納装置
１  収納装置本体
８  扉集合体（パネル集合体）
１０ａ〜１０ｐ  扉（パネル）
１１  全体画像
１２  部分画像
１２ａ  部分画像において木口画像と一致する画像
１３  木口画像
【図１】
2015066209.tif 000003
【図２】
2015066209.tif 000004
【図３】
2015066209.tif 000005
【図４】
2015066209.tif 000006